(57)【特許請求の範囲】
【請求項１】
脚体と、
この脚体の上部に支持され、前後複数の被係合部を有する座支持フレームと、
この座支持フレームに前後位置調節可能として支持された座体と、
前記被係合部と係脱可能な係合部を有するとともに、前記座支持フレームに、前後方向に移動可能かつ前記係合部が被係合部と常時係合する方向に付勢された位置から、係合部が被係合部より離脱する位置までの間を回動操作可能として設けられ、さらに、前記座体に、前後方向に移動不能かつ前記係合部が被係合部より離脱した状態において、座体と共に前後方向に連動しうるように連係された操作レバー
とを備えることを特徴とする椅子。
【請求項２】
操作レバーにおける係合部の反対側に、側方に突出する突部を設けるとともに、座体における前記突部と対向する部分に、突部側に開口する凹部を設け、この凹部に、前記突部を、前後方向に移動不能、かつ操作レバーの回動操作を許容しうるように常時嵌合してなる請求項１記載の椅子。
【請求項３】
操作レバーを、上向きに操作可能な外側方を向く操作部と、この操作部の内側端より起立する起立部とを有する、正面視ほぼＬ字状をなすものとし、前記起立部の上端部の外側面に、係合部としての前後複数の係合突片を設け、かつ前記座支持フレームの側端部の内側面に、前後方向に一定間隔おきに並ぶ、被係合部としての内側方に開口する複数の係合溝を設けてなる請求項１または２記載の椅子。
【請求項４】
係合部よりも下方において、起立部の上下方向の中間部を、座支持フレームに設けた前後方向を向く支持軸に、回動可能かつ前後方向に摺動可能に嵌合して支持してなる請求項３記載の椅子。
【請求項５】
操作レバーを取付けた支持軸を、ブラケットに組付け、このブラケットを座支持フレームに取付けてなる請求項４記載の椅子。
【請求項６】
操作レバーの係合部が被係合部と常時係合する方向に付勢する付勢手段を、Ｖ字状をなす板ばねとし、その一方の上向片の上端部を、操作レバーの突部に設けた下方に開口する係止孔に嵌合するとともに、他方の上向片の上端部を、座体に設けた凹部内に嵌合して保持してなる請求項２〜５のいずれかに記載の椅子。
【発明の詳細な説明】
【技術分野】
【０００１】
本発明は、脚体の上部に設けた座支持フレームに、座体を、前後位置調節可能に支持してなる椅子に関する。
【背景技術】
【０００２】
このような、座体の前後位置を調整可能とした椅子においては、不動側の座支持フレームに、係合溝等の被係合部を設け、可動側である座体に設けた操作レバーにおける係合部を、操作レバーの上下方向への回動操作により、上記被係合部と係脱させて、座体の前後位置を調節するようにしているのが殆どである(例えば特許文献１参照)。
【先行技術文献】
【特許文献】
【０００３】
【特許文献１】特開２００６−１０２１４７号公報
【発明の概要】
【発明が解決しようとする課題】
【０００４】
上記特許文献に記載されている椅子のように、座支持フレーム側に被係合部を、座体側に係合部を有する操作レバーを設けると、座支持フレームに座体を取付けてからでないと、係合部が被係合部に適正に係合するか否か等の係合状態を確認することができない。
そのため、係合部と被係合部との係合精度に誤差が生じた際には、再度座体を取り外したり、操作レバーの取付位置を調整したりする必要があり、それらの作業が面倒である。
【０００５】
本発明は、上記問題点に鑑みてなされたもので、座支持フレームに座体を取付ける前に、係合部と被係合部との係合状態を確認しうるようにし、互いの係合精度を向上させうるようにした椅子を提供することを目的としている。
【課題を解決するための手段】
【０００６】
本発明によると、上記課題は、次の各項のようにして解決される。
（１）脚体と、この脚体の上部に支持され、前後複数の被係合部を有する座支持フレームと、この座支持フレームに前後位置調節可能として支持された座体と、前記被係合部と係脱可能な係合部を有するとともに、前記座支持フレームに、前後方向に移動可能かつ前記係合部が被係合部と常時係合する方向に付勢された位置から、係合部が被係合部より離脱する位置までの間を回動操作可能として設けられ、さらに、前記座体に、前後方向に移動不能かつ前記係合部が被係合部より離脱した状態において、座体と共に前後方向に連動しうるように連係された操作レバーとを備えるものとする。
【０００７】
このような構成によると、座支持フレームに、被係合部と、この被係合部に係合する係合部を有する操作レバーを設けたことにより、座支持フレームに座体を取付ける前に、係合部と被係合部との係合状態を確認し、かつ係合位置を調整したうえで座体を取付けることができるので、互いの係合精度に誤差が生じる恐れはなく、係合部を被係合部に確実に係脱させることができる。
また、係合部が被係合部より離脱すると、座体に前後方向に移動不能に連係させた操作レバーが、座体と共に前後方向に連動し、任意の位置において係合部を前後いずれかの被係合部に選択的に係合させうるので、座体の前後位置を支障なく簡単に調節することができる。
さらに、操作レバーは、係合部を被係合部より離脱させた状態において、座体と共に連動するので、座支持フレーム側に操作レバーを設けたにも拘わらず、座体の前後位置を調節しても、座体と操作レバーとの位置関係は変わらず、従って、一度座体の位置を調節した後の再調節が容易となる。
【０００８】
（２）上記(１)項において、操作レバーにおける係合部の反対側に、側方に突出する突部を設けるとともに、座体における前記突部と対向する部分に、突部側に開口する凹部を設け、この凹部に、前記突部を、前後方向に移動不能、かつ操作レバーの回動操作を許容しうるように常時嵌合する。
【０００９】
このような構成によると、係合部と被係合部の係合部分と、突部と座体の凹部への嵌合部分とが、左右方向に並び、座体のロック時において操作レバーに曲げ荷重が加わることがないので、座体の前後移動を確実に阻止しうるとともに、操作レバーを安価な樹脂等により製作して、コスト低減を図ることができる。
また、突部を設けたことにより、凹部との嵌合領域が大となるので、座体のロック時において前後方向にぐらつく恐れがない。
さらに、簡単な手段で、操作レバーと座体とを連係して、操作レバーを座体と共に前後方向に確実に連動させることができる。
【００１０】
（３）上記(１)または(２)項において、操作レバーを、上向きに操作可能な外側方を向く操作部と、この操作部の内側端より起立する起立部とを有する、正面視ほぼＬ字状をなすものとし、前記起立部の上端部の外側面に、係合部としての前後複数の係合突片を設け、かつ前記座支持フレームの側端部の内側面に、前後方向に一定間隔おきに並ぶ、被係合部としての内側方に開口する複数の係合溝を設ける。
【００１１】
このような構成によると、操作レバーの操作部を上向きに回動操作することにより、起立部の上端部に設けた外側方を向く係合突片を、係合溝に側方より容易に係脱させうるとともに、前後複数の係合突片が、前後に隣接する複数の係合溝と係合するので、係合強度が大となり、座体の前後移動を確実にロックすることができる。
【００１２】
（４）上記(３)項において、係合部よりも下方において、起立部の上下方向の中間部を、座支持フレームに設けた前後方向を向く支持軸に、回動可能かつ前後方向に摺動可能に嵌合して支持する。
【００１３】
このような構成によると、操作部を上向きに回動操作すると、起立部が支持軸を中心として側方に回動して、その上端部に設けた係合部を、被係合部に確実に係脱させることができる。
また、操作レバーを、支持軸に沿って安定よく前後方向に移動することができる。
【００１４】
（５）上記(４)項において、操作レバーを取付けた支持軸を、ブラケットに組付け、このブラケットを座支持フレームに取付ける。
【００１５】
このような構成によると、操作レバー及び支持軸を予めブラケットに組み付けてユニット化し、ブラケットのみを座支持フレームに取付ければよく、各部材を個々に組み付ける必要がないので、組付作業が極めて容易となるとともに、組付誤差が生じる恐れが小さくなる。
【００１６】
（６）上記(２)〜(５)項のいずれかにおいて、操作レバーの係合部が被係合部と常時係合する方向に付勢する付勢手段を、Ｖ字状をなす板ばねとし、その一方の上向片の上端部を、操作レバーの突部に設けた下方に開口する係止孔に嵌合するとともに、他方の上向片の上端部を、座体に設けた凹部内に嵌合して保持する。
【００１７】
このような構成によると、板ばねの付勢力を、係合部と被係合部との係合部分に効果的に働かせることができ、それらの係合を確実なものとしうるとともに、板ばねを簡単に組み付けることができる。
【発明の効果】
【００１８】
本発明によれば、座支持フレームに、被係合部と、この被係合部に係合する係合部を有する操作レバーを設けたことにより、座支持フレームに座体を取付ける前に、係合部と被係合部との係合状態を確認し、かつ係合位置を調整したうえで座体を取付けることができるので、互いの係合精度に誤差が生じる恐れはなく、係合部を被係合部に確実に係脱させることができる。
また、係合部が被係合部より離脱すると、座体に前後方向に移動不能に連係させた操作レバーが、座体と共に前後方向に連動し、任意の位置において係合部を前後いずれかの被係合部に選択的に係合させうるので、座体の前後位置を支障なく簡単に調節することができる。
さらに、操作レバーは、係合部を被係合部より離脱させた状態において、座体と共に連動するので、座支持フレーム側に操作レバーを設けたにも拘わらず、座体の前後位置を調節しても、座体と操作レバーとの位置関係は変わらず、従って、一度座体の位置を調節した後の再調節が容易となる。
【図面の簡単な説明】
【００１９】
【図１】本発明の一実施形態の椅子の側面図である。
【図２】同じく、座支持フレーム及び座体の分解斜視図である。
【図３】同じく、座支持フレーム及び座体の底面図である。
【図４】図３のIV-IV線拡大縦断正面図である。
【図５】同じく、V-V線拡大縦断正面図である。
【図６】操作レバーを操作して、座体のロックを解除したときの図５と同部位の縦断正面図である。
【図７】座支持フレームへの操作レバー装置取付前の斜視図である。
【図８】同じく、座支持フレームに操作レバー装置を取付けた状態の斜視図である。
【図９】同じく、操作レバー装置を取付けた座支持フレームに、座体を取付けた状態を下方より見た斜視図である。
【発明を実施するための形態】
【００２０】
以下、本発明の実施形態を、図面に基づいて説明する。
図１は、本発明を適用した椅子の側面図で、この椅子１は、脚体２と、その上部に設けられた座体３と、背凭れ４と、左右１対の肘掛け５とを備えている。
【００２１】
脚体２は、先端にキャスタ６が取付けられた放射状をなす５本の脚杆７と、それらの中心に立設され、内部に収容されたガススプリング(図示略)により伸縮可能な脚柱８と、その上端に後端部が固着された支基９とからなっている。
【００２２】
背凭れ４は、背凭れ支持フレーム１０と、その前面上部に取付けられた背当て１１とからなり、背凭れ支持フレーム１０における下端部の左右１対の前方を向く支持アーム１０aの前端部が、支基９における後端部の左右両側部に、左右方向を向く枢軸１２により回動可能に枢着されている。
【００２３】
枢軸１２は、支基９の内部に設けられた前向付勢手段に連係され、この前向付勢手段により、背凭れ支持フレーム１０は、常時起立する方向に付勢され、かつ付勢手段に抗して後傾させうるようになっている。
肘掛け５は、左右の支持アーム１０aの前端部上面に取付けられている。
【００２４】
座体３は、図２の分解斜視図及び図３の底面図に示すように、金属製の座支持フレーム１３により支持された合成樹脂製の座板１４と、座板１４の上面に取付けられたクッション材１５とからなっている。
なお、座体３及び座支持フレーム１３は、図２の左手前及び図３の上方が前である。
座支持フレーム１３は、左右方向を向くとともに、両側端部が若干上向きに折曲されたパイプよりなる前後複数(本実施形態では３本)の横フレーム１６と、各横フレーム１６の両側端部に、前後両端部が溶接により固着された正面視ほぼ上向コ字状をなす左右１対の側部フレーム１７、１７とからなり、座支持フレーム１３の全体形は、平面視枠状に形成されている。
【００２５】
３本の横フレーム１６のうち、後部側の２本の横フレーム１６は、互いに近接して配設されている。
各横フレーム１６における両端部は、そのほぼ上半部を、左右の側部フレーム１７の下端部に形成された切欠き溝１８に嵌合した状態で固着され、各横フレーム１６の下端部は、側部フレーム１７の下端よりも若干下方に突出している。
【００２６】
左右の側部フレーム１７における内側の上向片１７aの上端には、ほぼ水平をなす係合片１９、１９が、互いに対向するように内向きに連設され、座者の左側に位置する一方の係合片１９(図２及び図３においては右側)のやや前方寄りには、後記する操作レバー装置２６と係脱することにより、座体３の前後位置を調節するための内方に開口する複数の係合溝２０が、前後方向に一定の間隔をもって形成されている。
【００２７】
図１に示すように、支基９の前端部には、上下方向を向く左右１対の座支持アーム２１の下端部が、左右方向を向く枢軸２２により回動可能に枢着され、この両座支持アーム２１の上端に形成された上方に開口する凹部(図示略)に、座支持フレーム１３の前部の横フレーム１６における左右両側部が、回動可能に嵌合して受支されている。
【００２８】
座支持フレーム１３の後部は、その後部の２本の横フレーム１６における両側端部を、背凭れ支持フレーム１０の左右の支持アーム１０aの上面に、図示しない枢支具をもって回動可能に取付けることにより、背凭れ支持フレーム１０により支持されている。
このような支持形態とすることにより、座支持フレーム１３及びそれに取付けられた座体３は、背凭れ４の傾動と連動して、前後及び後下方に移動することができるようになっている。
【００２９】
図３及び図４に示すように、座板１４における左右両側部の下面には、座支持フレーム１３の左右の側部フレーム１７が嵌合可能な下方に開口する左右１対の上向きの凹部２３、２３が形成されている。両凹部２３の前後寸法と左右寸法は、側部フレーム１７の前後寸法と左右寸法よりも大きく、かつ左右の凹部２３における内側の側壁２３a、２３aの外面間の寸法Ｌを、左右の側部フレーム１７における係合片１９の対向面間の寸法とほぼ等しいか、もしくは僅かに大としてある。
【００３０】
正面視右側の凹部２３における内側の側壁２３aの下端には、前後複数の外向係止片２４が突設され、各外向係止片２４と、凹部２３内の下面との対向面間には、外側方と前後両方向に開口する第１係合溝２５が形成されている。
また、左側の凹部２３における内側の側壁２３aの下端に突設された垂下片２６の下端には、内向きに弾性変形可能な斜め外上方を向く弾性係合片２７が、正面視Ｖ字状をなすようにして、前後複数形成され、各弾性係合片２７の上端と、凹部２３内の下面との対向面間には、外側方と前後両方向に開口する第２係合溝２８が形成されている。
【００３１】
座板１４を座支持フレーム１３に取付けるには、まず、座板１４における正面視右側の凹部２３に、座支持フレーム１３の右側の側部フレーム１７を嵌合し、それらを左右方向に相対移動させることにより、側部フレーム１７の係合片１９を、複数の第１係合溝２５に係合させる(図４の２点鎖線参照)。
【００３２】
ついで、座支持フレーム１３の左側部を、図４の矢印で示すように押上げるか、もしくは座体３の左側部を押下げて、左側の凹部２３に、左側の側部フレーム１７を嵌合する。この嵌合時において、側部フレーム１７の係合片１９の内端が、各弾性係合片２７の外面に当接し、これを内向きに弾性変形させることにより、係合片１９の内端部が、第２係合溝２５内に突入する。これと同時に、弾性係合片２７が外方に弾性復元し、その上端が係合片１９の直下に位置することにより、係合片１９が第２係合溝２８より離脱するのが防止される。
【００３３】
これにより、座支持フレーム１３の上部に、座体３が、左右方向に移動するのが防止されて取付けられ、かつ座体３は、座板１４の凹部２３の前後寸法を、側部フレーム１７のそれよりも大としてあるため、座支持フレーム１３に対し、前後方向に移動することができる。
【００３４】
座支持フレーム１３における右側の側部フレーム１７の下面には、座体３の前後位置調節用の操作レバー装置２９が取付けられている。
図５〜図９に詳細を示すように、操作レバー装置２９は、側部フレーム１７に取付可能なブラケット３０と、操作レバー３１とを備えている。ブラケット３０は、側部フレーム１７の下面に固着される基片３０aと、その内端より起立し、側部フレーム１７の内方の側面に当接可能な起立片３０bと、起立片３０bの前後両端に連設された１対の内向片３０c、３０cとを有している。
【００３５】
操作レバー３１は、斜め前外側方を向くほぼ水平かつ平板状の操作部３１aと、その内端より起立する前後方向を向く摺動部３１bと、この摺動部３１bの中央部上端に立設された起立部３１cとを有し、正面視ほぼＬ字状をなしている。摺動部３１bの内側面には、上下方向を向く左右複数のリブ３２が突設され、操作部３１aと摺動部３１bの曲げ剛性を高めている。
【００３６】
起立部３１cには、その外側面を平面視外向きコ字状とすることにより、前述した座支持フレーム１３の係合溝２０と係脱可能な前後２条の上下方向を向く係合突片３３、３３が突設されている。
また、起立部３１cの上端部の、両係合突片３３と平行をなして内方に突出する内向突部３４には、上下方向を向くとともに、上下両方向に開口する角形孔３５が形成され、この角形孔３５には、正面視ほぼＶ字状をなす板ばね３６における外方の上向片３６aの上端部が、下方より嵌合されている。
【００３７】
操作レバー３１は、その摺動部３１bを、ブラケット３０の両内向片３０cに取付けられた前後方向を向く支持軸３７に挿通することにより、ブラケット３０に対し、前後に移動可能かつ支持軸３７回りに回動自在に支持されている。
【００３８】
このようにして予め組み付けられた操作レバー装置２９は、ブラケット３０の基片３０aの前端隅部に上向き突設された位置決めピン３８を、側部フレーム１７の前端部下面に穿設された位置決め孔３９に下方より嵌合し、かつ基片３０aの前後２個の取付孔４０、４０に下方より挿入したボルト４１を、側部フレーム１７の下面の２個のめねじ孔４２、４２に螺合することにより、座支持フレーム１３における正面視右側の側部フレーム１７の前端部に、操作レバー３１の操作部３１aが、側部フレーム１７と離間する下方において、斜め前方を向くようにして取付けられている(図８、図９参照)。
【００３９】
座板１４における右側の凹部２３と近接する内方の下面中央部には、底面視外向きコ字状をなす係止突部４３が、下向きに突設され、この係止突部４３内の下方と外側方に開口する凹部４４には、上記板ばね３６の内方の起立片３６bの上端部が、若干外方に撓ませた状態で下方より嵌合されている。
また、上記凹部４４には、操作レバー３１における起立部３１cの内向突部３４が、前後方向に移動するのが規制されるようにして、挿脱可能に常時嵌合されている。
【００４０】
操作レバー装置２９の取付後において、操作レバー３１の上端部の起立部３１cが、板ばね３６により外方に付勢されることにより、前後の係合突片３３は、側部フレーム１７の係合溝２０における互いに隣接するいずれか２個のものと常時係合している。また、操作レバー３１の内向突部３４も、座板１４における係止突部４３の凹部４４に常時嵌合しているので、座支持フレーム１３に対し座板１４がロックされ、座体３が前後方向に移動するのが防止される(図５、図９参照)。
【００４１】
図６に示すように、操作レバー３１の操作部３１aを上向きに回動操作すると、起立部３１cの両係合突片３３が係合溝２０より離脱することにより、ロックが解除され、座支持フレーム１３に対し座体３が前後方向に移動可能となる。この際、操作レバー３１の内向突部３４は、座板１４における係止突部４３の凹部４４内に深く入り込むのみで、凹部４４より離脱はしないため、座体３を前後に移動させると、操作レバー３１全体も支持軸３７に沿って前後に移動する。
【００４２】
従って、座体３を前後方向に移動させ、任意のところで操作部３１aから手を離せば、係合突片３３が、再度別の係合溝２０のいずれかと係合することにより、座体３はロックされ、その前後位置が調節される。
【００４３】
以上説明したように、上記実施形態の椅子においては、座支持フレーム１３の側部フレーム１７に、前後複数の係合溝２０を設けるとともに、操作レバー装置２９、すなわち係合溝２０に係脱する係合突片３３を有する操作レバー３１、支持軸３７、及び板ばね３６を予め組み付けたブラケット３０を取付けているので、
座支持フレーム１３に座体３を取付ける前に、係合溝２０と係合突片３３との係合状態を確認し、かつ調整したうえで座体３を取付けることができる。
従って、係合溝２０と係合突片３３との係合精度に誤差が生じる恐れがなく、係合突片３３の係合溝２０への係脱が確実に行われる。
【００４４】
また、操作レバー３１等の各部材は、予めブラケット３０に組付けられてユニット化され、ブラケット３０のみを側部フレーム１７に取付けるだけでよく、各部材を個々に取付ける必要がないので、組付作業が極めて容易となり、かつ組付誤差が生じる恐れが小さくなる。
【００４５】
なお、上記実施形態では、操作レバー３１の操作部３１aを上向きに回動操作したとき、係合突片３３が係合溝２０より離脱するようにしているが、それとは反対に、操作部３１aを下向きに回動操作したとき、係合突片３３が係合溝２０より離脱するようにすることもできる。
【００４６】
この際には、係合溝２０を、上記実施形態とは反対に、外側方に開口させるとともに、係合溝２０の外側方に操作レバー装置２９を配設して、操作レバー３１の係合突片３３を内向きに、かつ突部３４を外向きとし、さらに、座板１４の下面における係止突部４３の凹部４４を、突部３４と対向する外方において内方に開口するものとすればよい。
【００４７】
上記実施形態では、操作レバー３１と一体をなす起立部３１cの内向突部３４を、座板１４の下面に設けた係止突部４３の凹部４４に嵌合しているが、例えば操作レバー３１と別体をなす起立部材を、凹部４４に、前後方向に相対移動不能に嵌合するとともに、操作レバー３１と共に前後に摺動しうるように、支持軸３７に嵌合してもよい。
【００４８】
起立部３１cに内向突部３４を設けないで、起立部３１cの上端部のほぼ全体を、座板１４の下面に設けた凹部に嵌合することもある。
【符号の説明】
【００４９】
１    椅子
２    脚体
３    座体
４    背凭れ
５    肘掛け
６    キャスタ
７    脚杆
８    脚柱
９    支基
１０  背凭れ支持アーム
１０a 支持アーム
１１  背当て
１２  枢軸
１３  座支持フレーム
１４  座板
１５  クッション材
１６  横フレーム
１７  側部フレーム
１７a 上向片
１８  切欠き溝
１９  係合片
２０  係合溝
２１  座支持アーム
２２  枢軸
２３  凹部
２３a 側壁
２４  外向係止片
２５  第１係合溝
２６  垂下片
２７  弾性係合片
２８  第２係合溝
２９  操作レバー装置
３０  ブラケット
３０a 基片
３０b 起立片
３０c 内向片
３１  操作レバー
３１a 操作部
３１b 摺動部
３１c 起立部
３２  リブ
３３  係合突片
３４  内向突部
３５  角形孔(係止孔)
３６  板ばね
３６a 上向片
３６b 上向片
３７  支持軸
３８  位置決めピン
３９  位置決め孔
４０  取付孔
４１  ボルト
４２  めねじ孔
４３  係止突部
４４  凹部
【図１】
0005457520.tif 000002
【図２】
0005457520.tif 000003
【図３】
0005457520.tif 000004
【図４】
0005457520.tif 000005
【図５】
0005457520.tif 000006
【図６】
0005457520.tif 000007
【図７】
0005457520.tif 000008
【図８】
0005457520.tif 000009
【図９】
0005457520.tif 000010